(57)【要約】【課題】横一列または縦一列に整列された複数個のパッケージ本体の前面によって形成される面を一つの広告面として商品名、宣伝文字等を表示して販売促進を図ることができる商品陳列販売用広告パッケージを提供することにある。【解決手段】内部に商品を収納し、少なくとも前面の幅寸法が同一の複数個のパッケージにおいて広告表示の前面を同一平面上に横一列または縦一列に整列するとともに、奥行き方向にも複数個、整列状態で陳列して販売するパッケージであって、横一列または縦一列に整列された複数個のパッケージ本体１１の前面１１ａによって形成される面を一つの広告面１９とし、これら広告面１９の略全体に亘って前記パッケージ本体１１に収納された商品を紹介する広告２０を表示したことを特徴とする。【選択図】    図２
2004189238.tif 000002
【特許請求の範囲】
【請求項１】
内部に商品を収納し、少なくとも前面の幅寸法が同一の複数個のパッケージにおいて、広告表示の前面を同一平面上に横一列または縦一列に整列するとともに、奥行き方向にも複数個、整列状態で陳列して販売するパッケージであって、
横一列または縦一列に整列された複数個のパッケージ本体の前面によって形成される面を一つの広告面とし、これら広告面の略全体に亘って前記パッケージ本体に収納された商品を紹介する広告を表示したことを特徴とする商品陳列販売用広告パッケージ。
【請求項２】
前記パッケージ本体は、個々に陳列ハンガーのフック等に吊り下げられた状態で陳列され、前記パッケージ本体を陳列された広告前側の一列目から取り外したとき、二列目のパッケージ本体の広告前面が現れ、他の一列目のパッケージ本体の広告の表示と一体感が得られることを特徴とする請求項１記載の商品陳列販売用広告パッケージ。
【請求項３】
内部に商品を収納した同一寸法の複数個のパッケージをその前面を同一平面として横方向及び縦方向に整列するとともに、奥行き方向にも複数個、整列状態で陳列して販売するパッケージであって、
複数個のパッケージ本体の前面によって形成される面を一つの広告面とし、この広告面の略全体に亘って前記パッケージ本体に収納された商品を紹介する広告を表示したことを特徴とする商品陳列販売用広告パッケージ。
【発明の詳細な説明】
【０００１】
【発明の属する技術分野】
この発明は、例えば、自動車の交換部品としてのワイパー等の商品を収納した商品陳列販売用広告パッケージに関する。
【０００２】
【従来の技術】
自動車の交換部品としてのワイパー等の商品を収納した従来の商品陳列販売用パッケージについて説明する。交換部品としてのワイパーは、自動車のメーカーや車種によって形状、サイズが異なる。このため、ワイパーの種類は、数種類〜数十種類に及んでおり、これらが１個ずつパッケージに収納され、店頭に陳列されている。
【０００３】
パッケージは、図５に示すように、パッケージ本体１が紙製またはプラスチック等の細長い扁平ボックス形状で、１個のワイパーが縦方向に収納されている。パッケージ本体１の上端部にはパッケージ本体１の裏面を延長した舌片２が設けられ、この舌片２には店頭の陳列ハンガー３のフック等４（図６参照）に吊り下げられるように吊り下げ孔５が設けられている。
【０００４】
パッケージ本体１の前面１ａや側面１ｂには当該商品（ワイパー）のメーカー、商品名、サイズ、宣伝文字等が印刷表示され、裏面１ｃには古いワイパーを取り外して新しいワイパーを取付ける手順、注意事項等が印刷表示されている。
【０００５】
このように構成されたパッケージは、その内部のワイパーのサイズが異なっても一般に幅寸法、長さ寸法が同一サイズのパッケージに収納されている。そして、数種類〜数十種類のワイパーを収納したパッケージをワイパーのサイズの順に横一列にして店頭の陳列ハンガー３のフック等４に吊り下げる。さらに、奥行き方向に同一サイズのワイパーを収納したパッケージを複数個、整列状態で陳列すると、図６に示すような陳列状態となる。
【０００６】
【発明が解決しようとする課題】
しかしながら、ワイパーのようにその形状が細長い商品は、その商品を収納するパッケージも自ずと細長くなる。従って、パッケージ本体１の前面１ａも狭幅となり、パッケージ本体１の前面１ａに当該商品（ワイパー）の商品名や広告文字、記号等を表示して販売促進を図ろうとしても、表示スペースが狭すぎるため、表示文字が小さくなり、陳列された商品から少し離れると、陳列されている商品が何であるか、認識できない。特に、カー用品等を販売する店舗では、多品種の商品が密集して陳列されている場合が多く、商品が目立ち難く、希望する商品を探すのも困難である。
【０００７】
そこで、陳列棚の上部に大きな広告ボードを設け、この広告ボードに商品名や宣伝文字等を大きく表示して販売促進を図ることが行われているが、広告ボードの裏側には商品を陳列することができず、デッドスペースになってしまうという問題がある。
【０００８】
この発明は、前記事情に着目してなされたもので、その目的とするところの第１は、広告ボード等を設けることなく、横一列または縦一列に整列された複数個のパッケージ本体の前面によって形成される面を一つの広告面として商品名、写真、挿絵、宣伝文字等を大きく表示することでデッドスペースをなくし、かつ販売促進を図ることができる商品陳列販売用広告パッケージを提供することにある。
【０００９】
【課題を解決するための手段】
この発明は、前述した目的を達成するために、請求項１は、内部に商品を収納し、少なくとも前面の幅寸法が同一の複数個のパッケージにおいて、広告表示の前面を同一平面上に横一列または縦一列に整列するとともに、奥行き方向にも複数個、整列状態で陳列して販売するパッケージであって、横一列または縦一列に整列された複数個のパッケージ本体の前面によって形成される面を一つの広告面とし、これら広告面の略全体に亘って前記パッケージ本体に収納された商品を紹介する広告を表示したことを特徴とする商品陳列販売用広告パッケージにある。
【００１０】
請求項２は、請求項１の前記パッケージ本体は、個々に陳列ハンガーのフック等に吊り下げられた状態で陳列され、前記パッケージ本体を陳列された広告前側の一列目から取り外したとき、二列目のパッケージ本体の広告前面が現れ、他の一列目のパッケージ本体の広告の表示と一体感が得られることを特徴とする。
【００１１】
請求項３は、内部に商品を収納した同一寸法の複数個のパッケージをその前面を同一平面として横方向及び縦方向に整列するとともに、奥行き方向にも複数個、整列状態で陳列して販売するパッケージであって、複数個のパッケージ本体の前面によって形成される面を一つの広告面とし、この広告面の略全体に亘って前記パッケージ本体に収納された商品を紹介する広告を表示したことを特徴とする商品陳列販売用広告パッケージにある。
【００１２】
前記構成によれば、複数個のパッケージの組合せによって前面が一つの広告面となり、広告面の略全体に亘ってパッケージ本体に収納された商品を紹介する宣伝広告文等を表示することができる。従って、商品から離れた位置でも広告文を認識することができ、販売促進を図ることができる。
【００１３】
【発明の実施の形態】
以下、この発明の実施の形態を図面に基づいて説明する。
【００１４】
図１及び図２は商品陳列販売用広告パッケージの第１の実施形態を示し、図１はパッケージ１０の単体を示し、図２は複数個のパッケージ１０を横一列に整列して陳列した状態の正面図及び側面図である。
【００１５】
パッケージ１０は自動車の交換部品としてのワイパーを収納するものであり、パッケージ本体１１は紙製の細長い扁平ボックス形状で、１個のワイパーが縦方向に収納されている。パッケージ本体１１の上端部にはパッケージ本体１１の裏面を延長した舌片１２が設けられ、この舌片１２には店頭の陳列ハンガー１３のフック等１４に吊り下げられるように吊り下げ孔１５が設けられている。
【００１６】
パッケージ本体１１の前面１１ａにおける上段には当該商品（ワイパー）のメーカー名を表示する登録商標（例えばＡＺ）１６やワイパーのサイズを表示する文字（例えばＬ−３５〜Ｌ−６５）１７及び当該商品が適用できる自動車のメーカー、車種等を表示した表１８が設けられている。
【００１７】
さらに、パッケージ本体１１の前面１１ａにおける中段から下段には当該商品を紹介、つまり宣伝文字、図柄等を表示する広告面１９が設けられている。
【００１８】
この広告面１９は、複数個のパッケージ本体１１をその前面１１ａを同一平面として横一列に整列したとき、複数個のパッケージ本体１１の前面１１ａによって形成される面を一つの広告を表示する面とし、この広告面１９の略全体に亘ってパッケージ本体１１に収納された商品を紹介する広告２０が表示されている。
【００１９】
広告２０は、当該ワイパーが簡単に着脱交換をできることを宣伝するために、例えば、「クイッとはずせて、カチッと交換“」という文字が図柄、写真とともに広告面１９の略全体に亘って表示されている。つまり、個々のパッケージ本体１１の前面１１ａに広告２０を表示するのではなく、個々のパッケージ本体１１の前面１１ａには広告文字の一部が表示され、複数個のパッケージ本体１１をその前面１１ａを同一平面として順番に横一列に整列したときに一つの広告文字となるように形成されている。
【００２０】
また、パッケージ本体１１は、個々に陳列ハンガー１３のフック等１４に吊り下げられた状態で陳列されるが、奥行き方向にも同一のパッケージ本体１１が複数個、陳列されている。従って、パッケージ本体１１を前側の一列目から取り外したとき、二列目のパッケージ本体１１の前面１１ａが現れ、他の一列目のパッケージ本体１１の広告２０の表示と一体感が得られる。
【００２１】
前記構成によれば、広告面１９の面積が広く、大きな文字、大きな図柄等で商品を紹介することができ、従来のように個々のパッケージ本体の限られたスペースに広告を表示するものとは異なり、離れた位置でも店頭に陳列されている商品を認識でき、販売促進を図ることができる。
【００２２】
また、パッケージ本体１１の側面１１ｂあるいは裏面には古いワイパーを取り外して新しいワイパーを取付ける手順、注意事項等の文字、図柄２１が表示されている。
【００２３】
図３は第２の実施形態を示し、歯ブラシを収納したパッケージ３０である。第１の実施形態と同様に、複数個のパッケージ本体３１をその前面３１ａを同一平面として横一列に整列したとき、複数個のパッケージ本体３１の前面３１ａによって形成される面を一つの広告を表示する面とし、この広告面３２の略全体に亘ってパッケージ本体３１に収納された商品（歯ブラシ）を紹介する広告３３が表示されている。前面３１ａの下段にはパッケージ本体３１に収納されている歯ブラシの色、ブラシの硬さ等が文字や図柄３４で表示されている。
【００２４】
前記構成によれば、広告面３２の面積が広く、大きな文字、大きな図柄等で商品を紹介することができ、従来のように個々のパッケージ本体の限られたスペースに広告を表示するものとは異なり、離れた位置でも店頭に陳列されている商品を認識でき、販売促進を図ることができる。
【００２５】
なお、前記実施形態においては、ワイパー、歯ブラシについて説明したが、パッケージに収納される商品は、これらに限定されるものではなく、食品をラップするフィルム、カメラ用フィルム、ビデオテープ、カセットテープ等のパッケージにも応用できる。また、パッケージを横一列に整列して陳列した場合について説明したが、縦一列に整列して陳列した場合にも適用できる。
【００２６】
また、図４（ａ）に示すように、４枚のＣＤパッケージ本体３５を縦方向及び横方向に並べ、４枚のＣＤパッケージ本体３５の前面３５ａによって形成される面を一つの広告を表示する面とし、この広告面３６の略全体に亘ってＣＤパッケージ本体３５に収納された商品（ＣＤ）を紹介する広告３７を表示してもよい。また、同図（ｂ）に示すように、複数枚のＣＤパッケージ本体３５を重ね合わせ、そのＣＤパッケージ本体３５の端面によって形成される面を一つの広告を表示する面とし、この広告面３６の略全体に亘ってＣＤパッケージ本体３５に収納された商品（ＣＤ）を紹介する広告３７を表示してもよい。
【００２７】
前記構成によれば、広告面３６の面積が広く、大きな文字、大きな図柄等で商品を紹介することができ、従来のように個々のＣＤパッケージ本体の限られたスペースに広告を表示するものとは異なり、離れた位置でも店頭に陳列されている商品を認識でき、販売促進を図ることができる。
【００２８】
【発明の効果】
以上説明したように、この発明によれば、複数個の異なる表示をデザインした個々のパッケージの組合せにより、前面は大きな一つの広告面となることから、１．パッケージ広告面の略全体を以って、従来と同じ展示面積にも拘わらず大きな広告宣伝の文字や図柄・写真等が表示できるため、ユーザー並びに販売員を含め、誰もが商品から離れた位置でも視認性が向上することから、販売促進が図れる。
【００２９】
２．また、略全体の表示の内容によっては、
使用用途及び使用方法等の表示が可能なことから、商品購入後は、ユーザーの適正・安全、且つ迅速・効果的な使用方法の補助が図れるため、同商品の付加価値やユーザー満足度の向上が望める。
【００３０】
３．その他の効果としては、
ユーザーが商品を手に取った後や販売員の品出し時に、商品の適正な場所への戻しや設置をする場合には、商品の適正場所がわかり易いので、無駄な時間が省けるだけでなく、また売り場整理や欠品確認も容易にできる。
【００３１】
４．更に、以上のような広告・使用用途・使用方法をパッケージで表現することにより、大きな広告ボードやポスターを設置する必要はなく、店舗スペースを有用に活用できるとともに、これらに要する費用も削減できる。
【図面の簡単な説明】
【図１】この発明の第１の実施形態を示すパッケージの単体の斜視図。
【図２】同実施形態を示し、（ａ）は複数個のパッケージを横一列に整列して陳列した状態の正面図、（ｂ）は側面図。
【図３】この発明の第２の実施形態を示し、（ａ）は複数個のパッケージを横一列に整列して陳列した状態の正面図、（ｂ）は側面図。
【図４】この発明の他の実施形態を示し、（ａ）（ｂ）はＣＤパッケージの斜視図。
【図５】従来のパッケージの単体の斜視図。
【図６】同じく従来のパッケージを示し、（ａ）は横一列に整列して陳列した状態の正面図、（ｂ）は側面図。
【符号の説明】
１１…パッケージ本体
１１ａ…前面
１９…広告面
２０…広告
【図１】
2004189238.tif 000003
【図２】
2004189238.tif 000004
【図３】
2004189238.tif 000005
【図４】
2004189238.tif 000006
【図５】
2004189238.tif 000007
【図６】
2004189238.tif 000008